(57)【特許請求の範囲】
【請求項１】
浴室で用いられる装置を遠隔操作する浴室用リモコンであって、
該浴室用リモコンは、
上記装置の運転の開始と停止とを切り換えるメイン操作部と、
上記リモコンによって制御される装置本体の運転モードを切り換えるサブ操作部と、
を備え、
上記メイン操作部は、メイン基板と、浴室内に面して光を透過するメイン透光板と、該メイン透光板の背面側に配置され上記メイン透光板に向けて光を照射するメイン投光部と、上記メイン透光板上に該メイン透光板とは異なる色でプリントされたメイン印刷部と、を有し、
上記サブ操作部は、サブ基板と、浴室内に面して光を透過するサブ透光板と、該サブ透光板の背面側に配置され上記サブ透光板に向けて光を照射するサブ投光部と、上記サブ透光板上に、上記サブ発光部が発光していない状態で上記メイン印刷部より薄く視認されるようプリントされたサブ印刷部と、を有し、
上記メイン発光部及び上記サブ発光部は、通常使用時において、上記メイン操作部が上記装置を運転状態に切り換えている間のみ発光することを特徴とする浴室用リモコン。
【請求項２】
前記メイン印刷部は、前記サブ印刷部より大きいことを特徴とする請求項１記載の浴室用リモコン。
【請求項３】
前記メイン透光板及び前記サブ透光板は、面一に配置されていることを特徴とする請求項１記載の浴室用リモコン。
【請求項４】
前記サブ操作部は、通常使用時において、前記サブ発光部が光っている間のみ操作可能に構成されたことを特徴とする請求項１記載の浴室用リモコン。
【請求項５】
前記サブ操作部は、前記メイン操作部を人差し指で操作しながら、同じ手の親指または中指で操作可能な位置に配置されたことを特徴とする請求項１記載の浴室用リモコン。
【請求項６】
前記メイン透光板及びサブ透光板は板体であり、前記メイン基板及びサブ基板にそれぞれ配置されたスイッチは、板体である上記メイン透光板及びサブ透光板を介して押されることを特徴とする請求項１記載の浴室用リモコン。
【請求項７】
複数の前記装置に対応する複数の浴室リモコンは、それぞれ隣接して設置されることを特徴とする請求項１記載の浴室用リモコン。
【請求項８】
前記浴室用リモコンは、正面視四角形状であり、一方の対角位置でのみ浴室壁面にネジ止め固定されるよう形成されたことを特徴とする請求項１記載の浴室用リモコン。
【請求項９】
前記メイン印刷部は、前記メイン投光板より表面側に配置されており、前記サブ印刷部は、前記サブ投光板より裏面側に配置されることを特徴とする請求項１記載の浴室用リモコン。
【請求項１０】
前記メイン印刷部は、前記メイン透光板と異なる色からなる表示がプリントされており、前記サブ印刷部は、前記サブ透光板と略同一色からなる表示がプリントされていることを特徴とする請求項１記載の浴室用リモコン。
【請求項１１】
前記メイン印刷部及びサブ印刷部は、ピクトグラムが印刷されていることを特徴とする請求項１記載の浴室用リモコン。
【発明の詳細な説明】
【技術分野】
【０００１】
本発明は、浴室用リモコンに係り、特に浴室で用いられる様々なオプション装置を遠隔操作する浴室用リモコンに関する。
【背景技術】
【０００２】
近年、生活レベルの向上に伴って、一般家庭における浴室においても、より快適に入浴を楽しめるよう様々な装置が追加されるようになってきた。例えば、気泡を混入させた湯水を、浴槽内に臨んで設けた噴射ノズルから勢いよく噴射させる浴槽水循環装置がある。或いは、エアポンプからの空気を、浴槽の底面から気泡として発生させる気泡発生装置がある。また、設置されたアンプ及びスピーカにより音楽を聞くことができるオーディオ装置がある。さらに、浴槽内に照明器具を設けて、様々な色により浴室内の雰囲気を変化させる水中照明装置もある。
【０００３】
ところで、これらの装置は、オプションとして提供されることから、これらの装置を操作するリモコンも、一体的なリモコンとして生産すると品番が増えてしまい製品管理上好ましくないため、それぞれ別体で構成されるのが一般的である。そのため従来は、それぞれの装置に専用のリモコンが浴室内の壁面に設置されていた。
【０００４】
図１５に、オプションとして、気泡発生装置と、オーディオ装置と、水中照明装置とを備える浴室の一例を示す。浴槽１０１の底面には複数の気泡キャップ１０２が配設され、浴槽１０１の側面には、水中照明の照射部１０３が設置されている。他方、浴室の壁面１０４には浴室照明１０５が、また、天井１０６にはスピーカ１０７が取設されている。そして、浴槽長手方向に隣接する壁面１０４には、給湯器リモコン１０８の他、気泡リモコン１０９、オーディオ・リモコン１１０、水中照明リモコン１１１が配設されている。
【０００５】
浴槽１０１に背をもたれて操作できると、入浴姿勢を変えたり、浴槽１０１から出たりしなくてもよく、使い勝手がよいので、これらのリモコン１０９〜１１１はこのように略同じ箇所に取り付けられることが望ましい。
【０００６】
しかしながら、浴槽１０１長手方向に隣接する壁面１０４には、手摺り１１２や出窓１１３なども設置されるため、リモコン設置可能な場所も限られる。そのせいもあって、これらのリモコン１０９〜１１１は、極力浴室の意匠性を損ねないよう、コンパクトな大きさ、シンプルな表示部となるよう設計される。
【０００７】
図１６は、これら気泡リモコン１０９、オーディオ・リモコン１１０、水中照明リモコン１１１の表示部を示すものである。気泡リモコン１０９には、運転の開始／停止を操作する「運転」ボタン１０９ａ、気泡の強弱を調整する「＋」ボタン１０９ｂ／「−」ボタン１０９ｃ、気泡の強弱を表示する、「強」１０９ｄ、「中」１０９ｅ、「弱」１０９ｆの各インディケータ、及び配管内の残水を排出する「掃除」ボタン１０９ｇが設けられる。
【０００８】
オーディオ・リモコン１１０には、運転の開始／停止を操作する「運転」ボタン１１０ａ、音量を調整する「＋」ボタン１１０ｂ／「−」ボタン１１０ｃ、及び音量の大小を表示する複数のインディケータ１１０ｄが設けられる。
【０００９】
そして、水中照明リモコン１１１には、水中照明の運転を停止する「止」ボタン１１１ａ、水中照明をつけるとともに水中照明の色を順次自動的に変えていく「シーン」ボタン１１１ｂ、水中照明をつけるとともに水中照明の色を好みの色に固定する「色」ボタン１１１ｃ、及び浴室照明の明るさを調節する「調光」ボタン１１１ｄが設けられる。
【００１０】
このように、各リモコンのボタン類は、必要最小限に抑えられているので、表示部もシンプルとなり、また、各リモコンの表示部も相互に似た配列とすることにより、全体の統一感が出るように工夫されている。
【００１１】
しかしながら、複数のリモコンが浴室の壁面に散在していると、煩雑で見苦しく、操作性が悪いという問題がある。そこで、浴室内の意匠性を低下させないために、どのように複数のリモコンを配置するかについて、種々の提案がなされている。
【００１２】
まず、浴室内の複数の機器をそれぞれ操作可能な複数のリモコン本体を並設するために、各リモコン本体の操作面のみを表面に露出させて嵌め込むための開口が所定間隔で並設されてなる化粧カバーで、複数のリモコン本体を覆蓋した浴室リモコンの設置構造がある（例えば、特許文献１参照。）。
【００１３】
この浴室リモコンの設置構造によれば、複数のリモコン本体の操作面のみを表面に露出させて嵌め込むための開口が所定間隔で並設されてなる化粧カバーで、複数のリモコン本体を覆蓋したことにより、複数のリモコン本体を１枚の化粧カバーで一体化させて、あたかも１個のリモコンのように構成することができ、浴室内の見栄え性が向上するものとなる。
【００１４】
また、浴室の壁面の調度品に、リモコン装置を直列に収納するための収納部が形成され、この収納部にリモコン装置が操作面を浴室内に向けて設置され、このリモコン装置が設置された収納部の浴室内に開口する窓状の開口部がカバーで覆われ、このカバーがリモコン装置の配列方向に沿ってスライド自在に形成されている浴室用リモコン装置の設置構造も知られている（例えば、特許文献２参照。）。
【００１５】
この浴室用リモコン装置の設置構造によれば、リモコン装置を調度品と関連付け、リモコン設定をするときはカバーをスライドさせて収納部の開口部を開き、不使用時はカバーを逆方向にスライドさせて開口部を閉じ、リモコン装置を隠蔽可能に構成しているので、リモコン装置の操作性を低下させることなく、しかもリモコン装置が調度品と一体化し、不使用時はカバーで隠されるから、これによると浴室のインテリアに違和感を与えず、当初の浴室設計上のインテリア性、意匠性、浴室雰囲気を損なわせることがない。
【００１６】
【特許文献１】特開２００１−３２７４２７号公報
【特許文献２】特開２００５−１５２２８０号公報
【発明の開示】
【発明が解決しようとする課題】
【００１７】
しかしながら、特許文献１に記載の浴室リモコンの設置構造では、図１６に示した例のように、各リモコンのボタン類が常時露出しているので、ボタンだらけのようになってしまい見た目が複雑そうに見えてしまう。また、所望のボタンを探すのに迷うこともある。
【００１８】
またリモコンは、入浴時操作しやすい場所に設置されるため視界にも入り易い。このため、ボタンや文字だらけのものがあると、うるさく感じることもあり、浴室の意匠性がよいとはいえない。
【００１９】
この点、特許文献２に開示された浴室用リモコン装置の設置構造では、不使用時にはカバーを逆方向にスライドさせて開口部を閉じるのでこのような問題は生じないものの、使用に際して一々カバーをスライドさせることは面倒である。その結果開口部が開けっ放しになれば、特許文献１の場合と同様の問題が生じる。
【００２０】
本発明は、上述した事情を考慮してなされたもので、リモコンの操作性を維持しつつ、浴室の意匠性を阻害するボタンや文字ができるだけ目立たないように構成した浴室用リモコンを提供することを目的とするものである。
【課題を解決するための手段】
【００２１】
本発明に係る浴室用リモコンは、上述した課題を解決するために、請求項１に記載したように、浴室で用いられる装置を遠隔操作する浴室用リモコンであって、該浴室用リモコンは、上記装置の運転の開始と停止とを切り換えるメイン操作部と、上記リモコンによって制御される装置本体の運転モードを切り換えるサブ操作部とを備え、上記メイン操作部は、メイン基板と、浴室内に面して光を透過するメイン透光板と、該メイン透光板の背面側に配置され上記メイン透光板に向けて光を照射するメイン投光部と、上記メイン透光板上に該メイン透光板とは異なる色でプリントされたメイン印刷部とを有し、上記サブ操作部は、サブ基板と、浴室内に面して光を透過するサブ透光板と、該サブ透光板の背面側に配置され上記サブ透光板に向けて光を照射するサブ投光部と、上記サブ透光板上に、上記サブ発光部が発光していない状態で上記メイン印刷部より薄く視認されるようプリントされたサブ印刷部とを有し、上記メイン発光部及び上記サブ発光部は、通常使用時において、上記メイン操作部が上記装置を運転状態に切り換えている間のみ発光するものである。
【００２２】
ここで、前記メイン印刷部は、好適には、請求項２に記載したように、前記サブ印刷部より大きいことが望ましく、前記メイン透光板及び前記サブ透光板は、好適には、請求項３に記載したように、面一に配置されていることが望ましい。
【００２３】
そして、前記サブ操作部は、好適には、請求項４に記載したように、通常使用時において、前記サブ発光部が光っている間のみ操作可能に構成することができる。
【００２４】
また、前記サブ操作部は、好適には、請求項５に記載したように、前記メイン操作部を人差し指で操作しながら、同じ手の親指または中指で操作可能な位置に配置してもよい。
【００２５】
さらに、好適には、請求項６に記載したように、前記メイン透光板及びサブ透光板は板体であり、前記メイン基板及びサブ基板にそれぞれ配置されたスイッチは、板体である上記メイン透光板及びサブ透光板を介して押されるようにしてもよい。
【００２６】
他方、複数の前記装置に対応する複数の浴室リモコンは、好適には、請求項７に記載したように、それぞれ隣接して設置されることが望ましい。
【００２７】
そして、前記浴室用リモコンは、好適には、請求項８に記載したように、正面視四角形状であり、一方の対角位置でのみ浴室壁面にネジ止め固定されるよう形成することができる。
【００２８】
また、前記メイン印刷部は、好適には、請求項９に記載したように、前記メイン投光板より表面側に配置されており、前記サブ印刷部は、前記サブ投光板より裏面側に配置されるようにしてもよく、或いは、請求項１０に記載したように、前記メイン印刷部は、前記メイン透光板と異なる色からなる表示がプリントされており、前記サブ印刷部は、前記サブ透光板と略同一色からなる表示がプリントされているようにしてもよい。
【００２９】
なお、前記メイン印刷部及びサブ印刷部は、好適には、請求項１１に記載したように、ピクトグラムが印刷されていることとすることもできる。
【発明の効果】
【００３０】
本発明に係る浴室用リモコンによれば、リモコンの操作性を維持しつつ、浴室の意匠性を阻害するボタンや文字ができるだけ目立たないようにすることができる。
【発明を実施するための最良の形態】
【００３１】
本発明に係る浴室用リモコンの実施の形態について、添付図面を参照して説明する。図１及び図２は、本実施形態に係る浴室用リモコン１の全体的な概要を示す斜視図であり、図１は運転停止時における表示の状態を、図２は運転時における表示の状態をそれぞれ示している。
【００３２】
この浴室用リモコン１は、基板等のリモコン本体を覆う扁平な箱状のカバー４と、その表面にフック固定されたメインキー２及びサブキー３が浴室内に露出する。
【００３３】
メインキー２及びサブキー３は、ともに乳白色の板状に形成され、その表面は両者が面一になるよう配置されている。そして、この板状のメインキー２及びサブキー３を押すことにより、基板上に配置されたスイッチがＯＮ／ＯＦＦされる。
【００３４】
この浴室用リモコン１は、気泡発生装置に係るものであり、そのことはメインキー２上に印刷された、浴槽内に気泡が発生している湯水が溜められたピクトグラムＰ１により明かである。このピクトグラムＰ１は、目立つように、比較的大きく、またメインキー２とは異なる色、例えばグレーで印刷されている。
【００３５】
メインキー２を一度押すと、気泡発生装置の運転が開始されるとともに、ピクトグラムＰ１の裏面に配置されたＬＥＤが点灯してピクトグラムＰ１を明るく照らし、気泡発生装置が運転状態にあることを表示する。メインキー２をもう一度押すと、気泡発生装置の運転が停止する。
【００３６】
メインキー２のピクトグラムＰ１が点灯すると同時に、サブキー３の裏面に配置された３カ所のＬＥＤも点灯し、サブキーに印刷された「＋」Ｌ１、「−」Ｌ２及び「掃除」Ｌ３の文字を浮き上がらせる。
【００３７】
このＬＥＤが点灯した状態で、サブキー３の「＋」Ｌ１部分を押せば、気泡の勢いが強くなり、サブキー３の「−」Ｌ２部分を押せば、気泡の勢いが弱くなる。また、サブキー３の「掃除」Ｌ３部分を押すと、配管内の残水を排出することができる。すなわち、サブキー３は、３点が反応するシーソーキーになっている。逆に、サブキー３のＬＥＤが点灯していない状態では、このような運転モードを実行することはできない。
【００３８】
これら「＋」Ｌ１、「−」Ｌ２及び「掃除」Ｌ３の文字は、比較的小さく、またサブキー３の色と近似の色若しくはメインキー２のピクトグラムＰ１より薄く視認される色で印刷されるので、裏面のＬＥＤ消灯時、すなわち気泡発生装置が運転停止状態にある時は、見え難くなっている。このように、「＋」Ｌ１、「−」Ｌ２及び「掃除」Ｌ３の文字は、気泡発生装置運転時、すなわち、押すことが必要な場合のみ浮き上がり、気泡発生装置停止時、すなわち、押すことが不必要な場合には目立たないので、気泡発生装置停止時には、浴室の意匠性を損なわない。
【００３９】
なお、メインキー２のピクトグラムＰ１と、サブキー３の「＋」Ｌ１、「−」Ｌ２及び「掃除」Ｌ３の文字とは、図３に示すように、例えば、メインキー２のピクトグラムＰ１を右手の人差し指で押した場合、サブキー３の「＋」Ｌ１を親指で、「−」Ｌ２を中指で押せるような位置関係に配置される。これにより、浴室用リモコン１の操作性が向上する。
【００４０】
図４に、斯かる浴室用リモコン１の分解斜視図を示す。浴室用リモコン１は、上述したカバー４、メインキー２、サブキー３の外、ロアケース５、基板６、アッパーケース７、表面シート８を備える。
【００４１】
ロアケース５は、浴室用リモコン１の最も裏面側に位置し、浴室の壁面に当接する部材であり、パッキン９及びパイプパッキン１０を介して浴室壁面に水密に取り付けられる。
【００４２】
基板６は、この浴室用リモコン１の主要構成部材であり、図５に拡大して示すように、メインキー２の裏面側には、メインＬＥＤ６ａ及びメインスイッチ６ｃが、サブキー３の裏面側には、＋スイッチ６ｄ、−スイッチ６ｅ、掃除スイッチ６ｆ、及びこれらに対応する３個のサブＬＥＤ６ｂが配設される。サブＬＥＤ６ｂは、例えば青、赤、緑と色分けすることもできる。
【００４３】
上述したように、メインキー２を押すごとにメインスイッチ６ｃがＯＮ／ＯＦＦし、気泡発生装置を運転／停止させるとともに、メインＬＥＤ６ａが点灯／消灯する。また、これと同時に、サブＬＥＤ６ｂも点灯／消灯する。そして、サブＬＥＤ６ｂの点灯状態においてサブキー３の「＋」Ｌ１、「−」Ｌ２及び「掃除」Ｌ３の文字部分を押せば、＋スイッチ６ｄ、−スイッチ６ｅ、掃除スイッチ６ｆがそれぞれＯＮになり、それぞれの運転モードが作動する。
【００４４】
アッパーケース７は、ロアケース５と一体となって基板６を水密に保護するものであり、メインＬＥＤ６ａ及びサブＬＥＤ６ｂの光を透過させるように、透明な例えばＡＢＳ樹脂により形成される。アッパーケース７には、各スイッチ６ｃ〜６ｆを挿通させる挿通孔７ａが設けられる。
【００４５】
表面シート８は、表面に遮光印刷が施された例えばＰＥＴフィルムであり、アッパーケース７に貼着される。表面シート８には、各スイッチ６ｃ〜６ｆをＰＥＴフィルムを介して押下させるエンボス加工部８ａ及び各ＬＥＤ６ａ，６ｂの光を透過させる遮光印刷を施さない透光部８ｂが設けられる。
【００４６】
図６に、これらエンボス加工部８ａ及び透光部８ｂの位置関係を示す。透光部８ｂのうち、メインＬＥＤ６ａの光を透過させるものは、比較的大きなメインキー２のピクトグラムＰ１を照射するため大きなものとなっている。これに対し、サブＬＥＤ８ｂの光を透過させる透光部８ｂは、比較的小さな文字を照射するので、その開口も小さいものとなっている。なお、ロアケース５及びアッパーケース７の一方の対角にのみ設けられた一対の孔は、浴室用リモコン１を浴室の壁面に取り付けるための取付孔５ａ，７ｂである。
【００４７】
同様に、カバー４にも、各スイッチ６ｃ〜６ｆを押下させる押下孔４ａ及び各ＬＥＤ６ａ，６ｂの光を透過させる透光孔４ｂが設けられる。なお、メインキー２及びサブキー３とカバー４との間には、キーのガタツキ防止のためにラバー１１が介装される。また、メインキー２及びサブキー３には、各スイッチ６ｃ〜６ｆを押下するための突起部２ａ，３ａが設けられている。
【００４８】
本実施の形態に係る浴室用リモコン１は上記のように構成されており、以下ピクトグラムＰ１と各文字Ｌ１〜Ｌ３との見え方の違いについて、図７を参照して説明する。
【００４９】
メインキー２のピクトグラムＰ１は、同図に示すように、メインキー２の表面側に、メインキー２とは異なる色、例えばグレーで印刷されている。したがって、メインＬＥＤ６ａによるバックライトの有無にかかわらずピクトグラムはＰ１視認される。
【００５０】
他方、サブキー３の文字Ｌ１〜Ｌ３は、サブキー３の裏面側に印刷されている。そして、サブキー３は乳白色なので、サブＬＥＤ６ｂによるバックライトがなければ、表面からは見難いものとなっている。
【００５１】
ここで、サブＬＥＤ６ｂからの光は、透明なアッパーケース７を透過し、表面シート８の透光部８ｂ及びカバー４の透光孔４ｂを通過して、サブキー３に至る。そうすると、文字印刷されていない部分については、光は乳白色のサブキー３を透過するものの、文字印刷された部分では、光は透過することができない。これにより、サブＬＥＤ６ｂ点灯時には、明るく照射された周囲の中に印刷された文字Ｌ１〜Ｌ３の影を見ることができる。
【００５２】
上述した本実施形態に係るメインキー２は、本発明のメイン透光板を構成し、ピクトグラムＰ１はメイン印刷部を構成する。また、メインＬＥＤ６ａはメイン投光部を構成し、これらメインキー２やメインＬＥＤ６ａ、メインスイッチ６ｃ等が一体となって、メイン操作部を構成する。
【００５３】
同様に、本実施形態に係るサブキー３、文字Ｌ１〜Ｌ３、サブＬＥＤ６ｂは、それぞれ本発明のサブ透光板、サブ印刷部、サブ投光部を構成し、これらサブキー３やサブＬＥＤ６ｂ、サブスイッチ６ｄ〜６ｆ等が一体となって、サブ操作部を構成する。なお、本実施形態に係る浴室用リモコン１では、本発明のメイン基板及びサブ基板は一体化された基板６となっている。
【００５４】
また、本発明でいう「通常使用時」とは、一般の入浴者が普通に使用する場合のことであり、故障時に故障カ所を示すために、メイン発光部が発光していない時に、サブ発光部が単独で発光するような場合は含まない趣旨である。
【００５５】
次に、本実施形態に係る浴室用リモコンを複数配列した場合について、図を参照して説明する。図８は、４個の浴室用リモコン１〜１Ｃを並列に配置した例を示すものであり、すべての装置は停止した状態にある。
【００５６】
ここで、向かって左端に位置するのは、上述したものと同じ気泡発生装置用の浴室用リモコン１である。その隣に位置するのは浴槽水循環装置用の浴室用リモコン１Ａであり、そのメインキー２には、噴射ノズルから勢いよく噴射させる気泡のピクトグラムＰ２が、気泡発生装置の浴室用リモコンと同様に印刷されていて、一目でそれが浴槽水循環装置用の浴室用リモコン１Ａであることがわかる。
【００５７】
さらにその隣には、水中照明装置用の浴室用リモコン１Ｂが配置されている。このメインキー２には、電球のピクトグラムＰ３が、気泡発生装置の浴室用リモコン１と同様に印刷されていて、一目でそれが水中照明装置用の浴室用リモコン１Ｂであることがわかるようになっている。
【００５８】
向かって右端の浴室用リモコン１Ｃは、オーディオ装置用のものである。このメインキー２には、音符のピクトグラムＰ４が、気泡発生装置の浴室用リモコン１と同様に印刷されていて、一目でそれがオーディオ装置用の浴室用リモコン１Ｃであることがわかるようになっている。
【００５９】
このように、すべての装置が停止した状態では、サブキー３の文字印刷は殆ど視認することができず、したがって、多くの文字によりうるさく感じることもなく、浴室の意匠性が妨げられない。
【００６０】
図９は、気泡発生装置のみ作動させた場合の浴室用リモコン１〜１Ｃの状態を示すものである。この場合、気泡発生装置用の浴室用リモコン１の、メインキー２のピクトグラムＰ１及びサブキー３の文字Ｌ１〜Ｌ３のみが光っている。したがって、例えば気泡の勢いを強くする等運転モードを変更する場合でも、どのキーを押せばよいかを容易に知ることができる。
【００６１】
図１０は、浴槽水循環装置及び水中照明装置を作動させた場合の浴室用リモコン１〜１Ｃの状態を示すものである。この場合、浴槽水循環装置用の浴室用リモコン１Ａの、メインキー２のピクトグラムＰ２及びサブキー３の文字Ｌ４〜Ｌ６が光るとともに、水中照明装置用の浴室用リモコン１Ｂの、メインキー２のピクトグラムＰ３及びサブキー３の文字Ｌ７〜Ｌ９が光っている。
【００６２】
浴槽水循環装置の浴室用リモコン１Ａのサブキー３には、「＋」Ｌ４、「−」Ｌ５及び「モード」Ｌ６の文字が印刷されており、「＋」Ｌ４近傍を押せば噴射の勢いが強くなり、「−」Ｌ５近傍を押せば噴射の勢いが弱くなるようになっている。また、「モード」Ｌ６近傍を押せば、ゆっくりした周期で噴射の強弱を繰り返す運転が行われる。
【００６３】
他方、水中照明装置の浴室用リモコン１Ｂのサブキー３には、「シーン」Ｌ７、「単色」Ｌ８及び「調光」Ｌ９の文字が印刷されている。「シーン」Ｌ７近傍を押せば、水中照明の色が順次自動的に変わり、「単色」Ｌ８近傍を押せば、水中照明の色が好みの色に固定される。そして、「調光」Ｌ９近傍を押せば、浴室照明の明るさを調節することができる。
【００６４】
この場合、浴槽水循環装置又は水中照明装置の運転モードを変更するときでも、浴室用リモコン１ＡのピクトグラムＰ２及び浴室用リモコン１ＢのピクトグラムＰ３が光っているので、サブキー３の選択を誤ることが防止される。
【００６５】
図１１は、気泡発生装置及びオーディオ装置を作動させた場合の浴室用リモコン１〜１Ｃの状態を示すものである。この場合、気泡発生装置用の浴室用リモコン１の、メインキー２のピクトグラムＰ１及びサブキー３の文字Ｌ１〜Ｌ３が光るとともに、オーディオ装置用の浴室用リモコン１Ｃの、メインキー２のピクトグラムＰ４及びサブキー３の文字Ｌ１０，Ｌ１１が光っている。
【００６６】
オーディオ装置の浴室用リモコン１Ｃのサブキーには、「＋」Ｌ１０及び「−」Ｌ１１の文字が印刷されており、「＋」Ｌ１０近傍を押せば音量が大きくなり、「−」Ｌ１１近傍を押せば音量が小さくなるようになっている。
【００６７】
この場合、気泡発生装置又はオーディオ装置の運転モードを変更するときでも、浴室用リモコン１のピクトグラムＰ１及び浴室用リモコン１ＣのピクトグラムＰ４が光っているので、サブキー３の選択を誤ることが防止される。
【００６８】
図１２は斯かる４連の浴室用リモコン１〜１Ｃのカバー４を外した状態を示す図である。各リモコン１〜１Ｃの取付孔５ａ，７ｂは、上述したように、平面視長方形のロアケース５及びアッパーケース７の対角の一方に一対あるのみである。そのため、このように浴室用リモコンを並設する場合であっても、隣り合う浴室用リモコンの取付孔５ａ，７ｂが近接することはない。これにより、取付孔が接近している場合に生じる壁仕上げ材の欠損等が防止される。
【００６９】
ここまで、本実施形態に係る浴室用リモコンを複数配列した場合として、４個の浴室用リモコン１〜１Ｃを並設した場合を例にとって説明したが、並設する個数は４個に限らず、３個でも、或いは図１３に示すように、２個であってもよい。この場合であっても上述した４個を並設する場合と同様の効果を得ることができる。
【００７０】
続いて、本実施形態に係る浴室用リモコンの変形例について、図１４を参照して説明する。本変形例の浴室用リモコンは、同図に示すように、サブキー３に印刺される文字Ｌ１〜Ｌ３が、メインキー２に印刷されるピクトグラムＰ１同様、サブキー３の表面側に印刷される点で、実施形態におけるものと基本的に相違し、他の構成は実施形態と実質的に同じであり、同じ符号を付して説明を省略する。
【００７１】
この場合、サブキー３に印刷される文字Ｌ１〜Ｌ３は、サブキー３と略同一色とされる。これにより、サブＬＥＤ６ｂ消灯時には、文字Ｌ１〜Ｌ３と地（サブキー３）との見分けがつき難くなり、したがって、多くの文字があることの煩わしさがなくなり、実施形態に係る浴室用リモコン１同様、浴室の意匠性が損なわれることが防止される。
【００７２】
また、サブＬＥＤ６ｂ点灯時には、文字印刷されていない部分については、光は乳白色のサブキー３を透過するものの、文字印刷された部分では、光は透過することができない。これにより、サブＬＥＤ６ｂ点灯時には、明るく照射された周囲の中に印刷された文字Ｌ１〜Ｌ３を見ることができ、実施形態に係る浴室用リモコン１と同様の効果を得ることができる。
【００７３】
以上に説明した実施態様は説明のためのものであり、本発明の範囲を制限するものではない。したがって、当業者であればこれらの各要素もしくは全要素をこれと均等なものによって置換した実施態様を採用することが可能であるが、これらの実施態様も本発明の範囲に含まれる。
【００７４】
例えば、本実施形態では、メインキー２及びサブキー３の色を乳白色として説明したが、メインキー２及びサブキー３の色はこれに限られない。例えば、黒半透明塗装を施すことにより、地色を黒とし、これに白色の印刷を施すようにしてもよい。
【図面の簡単な説明】
【００７５】
【図１】本発明に係る浴室用リモコンの一実施形態を示す斜視図であり、運転停止時における表示を示す図。
【図２】本実施形態に係る浴室用リモコンの運転時における表示を示す図。
【図３】本実施形態に係る浴室用リモコンの操作方法の一例を示す図。
【図４】本実施形態に係る浴室用リモコンの分解斜視図。
【図５】本実施形態に係る浴室用リモコンの基板、アッパーケース及び表面シートの斜視図。
【図６】図５に示されたＡ矢視図。
【図７】本実施形態に係る浴室用リモコンを中央で切断した縦断面を模式的に示す図。
【図８】本実施形態に係る浴室用リモコンを複数配列した状態を示す図であり、すべての浴室用リモコンが運転停止時における表示を示す図。
【図９】図８に示された浴室用リモコンのうち、気泡発生装置のみ運転状態にある場合の表示を示す図。
【図１０】図８に示された浴室用リモコンのうち、浴槽水循環装置及び水中照明装置が運転状態にある場合の表示を示す図。
【図１１】図８に示された浴室用リモコンのうち、気泡発生装置及びオーディオ装置が運転状態にある場合の表示を示す図。
【図１２】図８に示された浴室用リモコンの取付方法を示す図。
【図１３】本実施形態に係る浴室用リモコンを複数配列した他の状態を示す図であり、気泡発生装置用及びオーディオ装置用のみを配列した場合を示す図。
【図１４】本実施形態に係る浴室用リモコンの変形例を示す図であり、中央で切断した縦断面を模式的に示す図。
【図１５】従来の浴室用リモコンを備える浴室の一例を示す図。
【図１６】図１５に示された浴室用リモコンの表示例を示す図。
【符号の説明】
【００７６】
１，１Ａ，１Ｂ，１Ｃ  浴室用リモコン
２  メインキー
２ａ  突起部
３  サブキー
３ａ  突起部
４  カバー
４ａ  挿通孔
４ｂ  透光孔
５  ロアケース
５ａ  取付孔
６  基板
６ａ  メインＬＥＤ
６ｂ  サブＬＥＤ
６ｃ  メインスイッチ
６ｄ  ＋スイッチ
６ｅ  −スイッチ
６ｆ  掃除スイッチ
７  アッパーケース
７ａ  挿通孔
７ｂ  取付孔
８  表面シート
８ａ  エンボス加工部
８ｂ  透光部
９  パッキン
１０  パイプパッキン
１１  ラバー
Ｐ１，Ｐ２，Ｐ３，Ｐ４  ピクトグラム
Ｌ１  ＋
Ｌ２  −
Ｌ３  掃除
Ｌ４  ＋
Ｌ５  −
Ｌ６  モード
Ｌ７  シーン
Ｌ８  単色
Ｌ９  調光
Ｌ１０  ＋
Ｌ１１  −
【図１】
0004978793.tif 000002
【図２】
0004978793.tif 000003
【図３】
0004978793.tif 000004
【図４】
0004978793.tif 000005
【図５】
0004978793.tif 000006
【図６】
0004978793.tif 000007
【図７】
0004978793.tif 000008
【図８】
0004978793.tif 000009
【図９】
0004978793.tif 000010
【図１０】
0004978793.tif 000011
【図１１】
0004978793.tif 000012
【図１２】
0004978793.tif 000013
【図１３】
0004978793.tif 000014
【図１４】
0004978793.tif 000015
【図１５】
0004978793.tif 000016
【図１６】
0004978793.tif 000017